(57)【特許請求の範囲】
【請求項１】
ヘリウムを検出するヘリウムリークディテクタと通信を行う携帯端末であって、
前記ヘリウムリークディテクタから所定時間ごとの検出結果を受信する受信部と、
前記受信した検出結果に基づく時系列グラフを表示する表示部と、
前記時系列グラフを表示中に、操作部からの撮影指示信号に応じて被写体を撮影する撮像部と、
前記時系列グラフを表示中に、操作部からの記録指示信号に応じて前記受信した検出結果を記憶部に記録する記録制御部と、
前記記憶部に記録された検出結果と前記撮像部で撮影された画像のデータとを関連付ける第１情報を生成する生成部と、
前記時系列グラフとともに、前記記憶部に記録された検出結果を示す第２情報を前記表示部に表示させる表示制御部と、
前記第２情報が示す検出結果に対し前記第１情報により関連付けられている画像を、操作部からの表示切替え信号に応じて前記表示部に表示させる表示切替え部とを備える、携帯端末。
【請求項２】
請求項１に記載の携帯端末において、
前記記録制御部は、前記記録指示信号を受けた際に前記受信部で受信していた検出結果を前記記憶部に記録する、携帯端末。
【請求項３】
ヘリウムを検出するヘリウムリークディテクタから所定時間ごとの検出結果を受信する受信処理と、
前記受信した検出結果に基づく時系列グラフを表示部に表示させる表示処理と、
前記時系列グラフを表示中に、操作部からの撮影指示信号に応じて撮像部に被写体を撮影させる撮像処理と、
前記時系列グラフを表示中に、操作部からの記録指示信号に応じて前記受信した検出結果を記憶部に記録する記録処理と、
前記記憶部に記録された検出結果と前記撮像部で撮影された画像のデータとを関連付ける第１情報を生成する生成処理と、
前記時系列グラフとともに、前記記憶部に記録された検出結果を示す第２情報を前記表示部に表示させる表示処理と、
前記第２情報が示す検出結果に対し前記第１情報により関連付けられている画像を、操作部からの表示切替え信号に応じて前記表示部に表示させる表示切替え処理と、をコンピュータに実行させる、プログラム。
【発明の詳細な説明】
【技術分野】
【０００１】
本発明は、携帯端末およびプログラムに関する。
【背景技術】
【０００２】
ヘリウムリークディテクタは密閉容器の漏れ検査に用いられ、試験法により密閉容器全体の漏れ量の評価や漏れ位置の特定が可能である。測定用プローブを用いて漏れ位置を特定するスニッファ法に用いられる発明として、特許文献１には、プローブを保持する手が静止していることを確認する目安として、測定の際に検査部位にインキを射出する発明が開示されている。
【先行技術文献】
【特許文献】
【０００３】
【特許文献１】特表２００８−５２５７７１
【発明の概要】
【発明が解決しようとする課題】
【０００４】
特許文献１に記載されている発明では、検査部位の記録が煩雑である。
【課題を解決するための手段】
【０００５】
（１）本発明の好ましい実施形態による携帯端末は、ヘリウムを検出するヘリウムリークディテクタと通信を行う。携帯端末は、ヘリウムリークディテクタから所定時間ごとの検出結果を受信する受信部と、受信した検出結果に基づく時系列グラフを表示する表示部と、時系列グラフを表示中に、操作部からの撮影指示信号に応じて被写体を撮影する撮像部と、時系列グラフを表示中に、操作部からの記録指示信号に応じて受信した検出結果を記憶部に記録する記録制御部と、記憶部に記録された検出結果と撮像部で撮影された画像のデータとを関連付ける第１情報を生成する生成部と、時系列グラフとともに、記憶部に記録された検出結果を示す第２情報を表示部に表示させる表示制御部と、第２情報が示す検出結果に対し第１情報により関連付けられている画像を、操作部からの表示切替え信号に応じて表示部に表示させる表示切替え部とを備える。
（２）さらに好ましい実施形態では、記録制御部は、記録指示信号を受けた際に受信部で受信していた検出結果を記憶部に記録する。
（３）本発明の好ましい実施形態によるプログラムは、ヘリウムを検出するヘリウムリークディテクタから所定時間ごとの検出結果を受信する受信処理と、受信した検出結果に基づく時系列グラフを表示部に表示させる表示処理と、時系列グラフを表示中に、操作部からの撮影指示信号に応じて撮像部に被写体を撮影させる撮像処理と、時系列グラフを表示中に、操作部からの記録指示信号に応じて受信した検出結果を記憶部に記録する記録処理と、記憶部に記録された検出結果と撮像部で撮影された画像のデータとを関連付ける情報を生成する生成処理と、時系列グラフとともに、記憶部に記録された検出結果を示す第２情報を表示部に表示させる表示処理と、第２情報が示す検出結果に対し第１情報により関連付けられている画像を、操作部からの表示切替え信号に応じて表示部に表示させる表示切替えとをコンピュータに実行させる。
【発明の効果】
【０００６】
本発明によれば、簡便に検査部位を記録できる。
【図面の簡単な説明】
【０００７】
【図１】ヘリウムリークディテクタユニットの構成を示すブロック図
【図２】マークリストの一例を示す図
【図３】ヘリウムリークディテクタユニットの使用想定場面を説明する図
【図４】携帯端末の起動直後の画面を示す図
【図５】記録用プログラムの基本画面を示す図
【図６】撮影プログラムを起動するボタンが表示された画面を示す図
【図７】撮影プログラムの動作画面を示す図
【図８】撮影した複数の画像から１つを選択する画面を示す図
【図９】記録用プログラムの基本画面にマークが追加された画面を示す図
【図１０】関連付けられた検出量などが記録された画像を表示している画面を示す図
【図１１】マークリストを表示している画面を示す図
【図１２】表示に用いる単位を設定する画面を示す図
【図１３】記録用プログラムのメインとなるフローチャート
【図１４】Ｍａｒｋボタンが選択されたと判断されると実行される、記録用プログラムのサブルーチン
【図１５】Ｌｉｓｔボタンが選択されたと判断されると実行される、記録用プログラムのサブルーチン
【図１６】Ｓｅｔｔｉｎｇボタンが選択されたと判断されると実行される、記録用プログラムのサブルーチン
【図１７】グラフ上のマークが選択されたと判断されると実行される、記録用プログラムのサブルーチン
【発明を実施するための形態】
【０００８】
（実施の形態）
以下、図１〜１７を参照して、本発明によるヘリウムリークディテクタユニットの一実施形態を説明する。
図１は、ヘリウムリークディテクタユニット１の構成を示すブロック図である。ヘリウムリークディテクタユニット１は、ヘリウムリークディテクタ１０と、携帯端末３０とから構成される。ヘリウムリークディテクタ１０と、携帯端末３０は、通信ケーブル３９により接続される。
ヘリウムリークディテクタ１０は、制御部１１と、オペレータに情報を提示する表示部１２と、制御部１１にオペレータの入力を伝達する入力部１３と、記憶部１４と、携帯端末３０と通信する通信部１５と、真空計１６と、粗引きをする油回転ポンプ１７と、高真空にするターボ分子ポンプ１８と、ヘリウムを検出する分析管１９と、検査対象部位周辺の気体を分析管１９に取り込むプローブ２０とを備える。
【０００９】
制御部１１は、ＣＰＵ、ＲＯＭおよびＲＡＭを備え、ＲＯＭに保存されたプログラムをＲＡＭに展開して実行することにより後述する処理を行う。制御部１１は、表示部１２と、入力部１３と、記憶部１４と、通信部１５と、真空計１６と、油回転ポンプ１７と、ターボ分子ポンプ１８と、分析管１９と信号線で接続され、情報の入出力や動作指令を送信する。制御部１１は、入力部１３を通じてオペレータから運転開始の指令を受けると、油回転ポンプ１７にて真空排気させ、真空計１６の検出する圧力が所定値以下になるとターボ分子ポンプ１８にて真空排気させる。そして、真空計１６の検出する圧力が所定値以下になると分析管１９に接続させてヘリウムの検出を開始し、検出量を含む検出結果を表示部１２に表示するとともに通信部１５を用いて携帯端末３０に送信する。制御部１１は、真空計１６の検出する圧力も表示部１２に表示する。表示部１２に表示する圧力およびヘリウムの検出量の単位は、記憶部１４に保存される単位設定に従い変更される。
【００１０】
表示部１２は、たとえば液晶パネルであり、制御部１１から出力された情報を表示する。入力部１３は、たとえば複数のボタンであり、オペレータの入力を制御部１１に出力する。記憶部１４は、たとえばフラッシュメモリであり、分析管１９が検出したヘリウム検出量やオペレータの入力した単位設定などを記憶する。通信部１５は、たとえばシリアル通信に用いられる変調復調器であり、通信ケーブル３９、たとえばシリアル通信ケーブルを用いて携帯端末３０と通信する。
真空計１６は、たとえばピラニ真空計であり、検出した圧力を制御部１１に出力する。制御部１１は、真空計１６が検出する圧力が十分に低くなるとターボ分子ポンプ１８にて真空排気させる。油回転ポンプ１７は、大気圧からの動作が可能な真空ポンプであり、ターボ分子ポンプ１８よりも先に制御部１１により動作される。分析管１９はヘリウムを検出し、検出量を制御部１１に出力する。プローブ２０は検索部位の空気をヘリウムリークディテクタ１０に導く細管であり、一端はヘリウムリークディテクタ１０に固定され、もう一端はオペレータが保持して検査位置まで移動する。
【００１１】
携帯端末３０は、たとえばタブレット端末であり、制御部３１と、オペレータへ情報を提示する表示部３２と、制御部３１にオペレータの入力を伝達する入力部３３と、記憶部３４と、ヘリウムリークディテクタ１０と通信する通信部３５と、測定対象を撮影する撮像部３６とを備える。
制御部３１は、ＣＰＵ、ＲＯＭおよびＲＡＭを備え、記憶部３４に保存された後述するプログラムをＲＡＭに展開して実行する。制御部３１は、表示部３２と、入力部３３と、記憶部３４と、通信部３５と、撮像部３６と信号線で接続される。
【００１２】
表示部３２は、たとえば液晶パネルであり、制御部３１から出力された情報を表示する。入力部３３は、たとえば表示部３２に設けられたタッチパッドであり、オペレータが触れた表示部３２の座標を認識する。入力部３３は、制御部３１から表示部３２に出力する情報を得ているので、認識したオペレータの触れた座標と入力部３３に出力されている情報から、表示部３２に表示されているいずれの表示物、たとえばボタンがオペレータにより選択されたかを判断し、制御部３１に出力する。
【００１３】
記憶部３４は、たとえばフラッシュメモリであり、記憶部３４には、通信部３５が受信したヘリウム検出量を記録した検出量ログ３４Ａ、オペレータの選択した検出量の一覧であるマークリスト３４Ｂ、検出量および圧力を表示部３２に表示する際にいずれの単位を使用するかが記載されている単位設定３４Ｃ、記録用プログラム３４Ｄ、撮影プログラム３４Ｅ、および撮像部３６が撮影して得られた映像などが記憶される。検出量ログ３４Ａは、検出日時とヘリウム検出量を時系列順に記録したものである。マークリスト３４Ｂは、マーク番号、検出日時、ヘリウム検出量、および撮影した画像のファイル名を関連付けて保存したリストであり、たとえば図２に示すものである。
【００１４】
図２に示すマークリスト３４Ｂの一例には、マーク番号がＭ１からＭ４の４つのマークの情報が記載されており、左から順にマーク番号、検出日時、ヘリウム検出量、撮影した画像のファイル名である。詳しくは後述するが、ヘリウム検出量が表示部３２に表示されている際に、オペレータがマークを付加する旨の指令を制御部３１に出力すると、マークリスト３４Ｂに連番のマーク番号、検出日時、ヘリウム検出量が保存される。そしてさらに検査部位を撮影する旨の指令を制御部３１に出力すると、撮像部３６が撮像して得られた映像が記憶部３４に保存され、そのファイル名がマークリスト３４Ｂに記録される。オペレータが検査箇所を撮影する旨の指令を制御部３１に出力しない場合には、図２のＭ２のようにファイル名は保存されない。撮影プログラム３４Ｅは、撮像部３６を用いて被写体を撮影し、撮影して得られた映像を記憶部３４に保存する。撮影プログラム３４Ｅは、後述するプログラムランチャーから起動することもできるし、他のプログラムから起動することもできる。撮影プログラム３４Ｅは、他のプログラムから起動されると、当該プログラムを終了する際に記憶部３４に保存した画像のファイル名を返り値として当該撮影プログラム３４Ｅを起動させた他のプログラムに返す。
【００１５】
通信部３５は、たとえばシリアル通信に用いられる変調復調器であり、通信ケーブル３９を用いてヘリウムリークディテクタ１０と通信する。撮像部３６は、たとえば携帯端末３０と一体のＣＣＤカメラであり、制御部３１からの起動指令により起動すると連続的にスルー画を表示部３２に表示し、さらに制御部３１から撮影指令があると撮影を行う。撮影して得られた映像は記憶部３４に保存され、さらに後述する処理により撮影日時や撮影時のヘリウム検出量などが画像上に追記される。
【００１６】
（使用想定場面）
図３を用いて、本実施の形態に係るヘリウムリークディテクタユニット１が使用される場面を説明する。
試験体５０は、たとえば加工が完了した長さ数メートルの密閉容器であり、溶接不良がなく密閉されていることを検査する検査対象である。この試験体５０の内部に加圧したヘリウムガスを注入し、外部に漏れ出るヘリウムガスをヘリウムリークディテクタ１０により検出し、漏れの位置を特定する。試験体５０の検査箇所は多数あるが、ヘリウムリークディテクタ１０の移動は容易ではないため、オペレータがプローブ２０の先端を持って検査位置まで移動して検査する。ヘリウムリークディテクタ１０が検出するヘリウムの検出量は携帯端末３０の表示部３２に表示されるので、オペレータは携帯端末３０を携帯して検査を行うことで、現在の検査位置に漏れがあるか否かをすぐに判断できる。
オペレータは、携帯端末３０に表示される検出量を確認し、現在の検査位置に漏れがあると判断すると、携帯端末３０を用いて検査部位を撮影する。後述する処理により、ヘリウムの検出量、撮影時刻、およびマーク番号が書き込まれた映像が得られる。したがって、オペレータは簡便に検査部位を記録できる。
【００１７】
（携帯端末の表示）
図４〜１２を用いて、携帯端末３０の表示部３２に表示される画面を説明する。以下で説明する図４〜１２は、全て携帯端末３０の表示部３２に表示される画面である。
携帯端末３０を起動すると、図４に示すように、プログラムのランチャー画面が表示される。オペレータが表示部３２左上の「ＨｅＬｅａｋ」のアイコンを選択すると、後述する記録用プログラム３４Ｄが起動して図５の画面が表示される。
【００１８】
図５は、記録用プログラム３４Ｄの基本画面を示しており、画面上段に最新のヘリウム検出量、中段にヘリウム検出量の時系列変化を示すグラフ、グラフ上部に小さくヘリウムリークディテクタ１０内部の圧力、下段にＭａｒｋボタン３３Ａ、Ｌｉｓｔボタン３３Ｂ、Ｓｅｔｔｉｎｇボタン３３Ｃが表示される。通信部３５がヘリウムリークディテクタ１０から検出量を受信するたびに図５の上部に示す検出量の表示が更新され、時系列変化を示すグラフも更新される。下段左のＭａｒｋボタン３３Ａは、現在の検出量を特別な値として記録し、時系列グラフにマークを付加する指令を実行するためのボタンである。下段中央のＬｉｓｔボタン３３Ｂは、これまでにＭａｒｋボタン３３Ａを選択して記録した検出量の一覧を閲覧するためのボタンである。下段右のＳｅｔｔｉｎｇボタン３３Ｃは、画面表示に使用される検出量や圧力の単位を変更する設定画面を呼び出すためのボタンである。
【００１９】
オペレータは、プローブ２０の先端を検査部位に近づけて、ヘリウムがヘリウムリークディテクタ１０により検出されるか否かを確認する。検出されたヘリウムの測定量と点検位置を記録するために、オペレータは表示部３２の左下に表示されている「Ｍａｒｋ」を選択すると、検出量が記憶部３４に記録されるとともに表示部３２の表示が図６の画面に変化する。
図６では、画面左下のＭａｒｋボタン３３Ａの上に、新たにＰｈｏｔｏボタン３３Ｄが表示される。ここでオペレータがＰｈｏｔｏボタン３３Ｄを選択すると、制御部３１により撮影プログラム３４Ｅが起動されて図７の画面が表示される。
【００２０】
図７は、撮影プログラム３４Ｅが起動している際の表示部３２の表示を示す。撮影プログラム３４Ｅが起動されると、撮像部３６が撮影して得られたリアルタイムの映像、すなわちスルー画が表示部３２に表示される。さらに表示部３２には、表示されている映像を記憶部３４に静止画として保存する指令、すなわち撮影指令を制御部３１に指示するＰｉｃボタン３３Ｅと、撮影プログラム３４Ｅを終了するＥｎｄボタン３３Ｆが、スルー画に重畳して表示される。オペレータは、表示部３２に表示されるスルー画を見ながら検査部位が表示されるように携帯端末３０の位置を調整してＰｉｃボタン３３Ｅを押す。その後Ｅｎｄボタン３３Ｆを押すと撮影プログラム３４Ｅが終了して、記録用プログラム３４Ｄにより表示部３２に図８の画面が表示される。ここでは、すぐには最適な画像が撮影できず、合計３回Ｐｉｃボタン３３Ｅを押した後にＥｎｄボタン３３Ｆを押したとして、以下説明を続ける。
【００２１】
図８は、直前に撮像部３６が起動してオペレータがＰｉｃボタン３３Ｅを押したことにより記憶部３４に保存された画像の一覧を示している。図８が表示される直前の図７において、オペレータが３回Ｐｉｃボタン３３Ｅを押したので、図８には３枚の画像が表示されている。オペレータがいずれかの画像を選択すると、表示部３２に図９の画面が表示される。ここでは、オペレータが真ん中の画像を選択したとして、以下説明を続ける。
図９は、図５と同じく記録用プログラム３４Ｄの基本画面であるが、図５に示した波形に加えて図５から経過した時間の測定データの波形がさらに示されている。また、図５においてオペレータがＭａｒｋボタン３３Ａを押したので、その時刻の時系列グラフに記号が付加され、１つ目であることを示す文字「Ｍ１」が付加されている。オペレータが時系列グラフの「Ｍ１」またはその近傍を選択すると、「Ｍ１」に関連付けられた画像が図１０のように表示される。
【００２２】
図１０は、図８で選択した画像の上部に、マーク番号、検出日時、検出量が重畳して記録されたものであり、当該画像がそのまま表示部３２に表示されている。「Ｍ１」は、マークを付加した最初のデータであることを示しており、検出日時および検出量は、検査対象を撮影する直前にＭａｒｋボタン３３Ａが押された際に通信部３５が受信していた最新のデータである。
図５や図９に示した記録用プログラム３４Ｄの基本画面において、オペレータが画面下部のＬｉｓｔボタン３３Ｂを選択すると、表示部３２には図１１のように表示される。ただし、上記の説明では１回しかＭａｒｋボタン３３Ａが選択されていないが、何度もＭａｒｋボタン３３Ａが選択されていたとして以下説明する。
【００２３】
図１１は、オペレータによりマークが付加されたデータの一覧を示しており、マークごとに、マークの番号、検出日時、検出量、画像の関連付けの有無が表示される。当該データに画像が関連付けられている場合には行の最後に「Ｐｈｏｔｏ」が付加され、画像が関連付けられていない場合には「Ｐｈｏｔｏ」の表記がされない。オペレータが「Ｐｈｏｔｏ」と記載されている行を選択すると、図１０に示したように当該データに関連付けられた画像が表示される。
図５や図９に示した記録用プログラム３４Ｄの基本画面において、オペレータが画面下部のＳｅｔｔｉｎｇボタン３３Ｃを選択すると、表示部３２には図１２のように表示される。
図１２は、圧力および検出したリーク量の単位の設定を示す画面である。オペレータが表示に用いる圧力およびリーク量を選択し、その後に「ＯＫ」を選択すると記録用プログラム３４Ｄの基本画面に戻る。選択可能な圧力の単位は、たとえばｋＰａやＴｏｒｒであり、リーク量の単位は、Ｐａ・ｍ３／ｓ、Ｔｏｒｒ・Ｌ／ｓ、ｍｂａｒ・Ｌ／ｓ、ａｔｍ・ｃｃ／ｓなどである。
【００２４】
（フローチャート）
図１３〜１７を用いて携帯端末３０の制御部３１が実行する記録用プログラム３４Ｄおよび撮影プログラム３４Ｅの動作を説明する。以下に説明する動作のほとんどは記録用プログラム３４Ｄが実行する処理であり、撮影プログラム３４Ｅは図１４のステップＳ２０７〜Ｓ２０９のみを実行する。
【００２５】
図１３に示すフローチャートは、オペレータにより記録用プログラム３４Ｄが実行されていると、制御部３１が所定の時間ごと、たとえば１秒ごとに実行するプログラムの動作を表すフローチャートである。このフローチャートは、図１４〜１７に示すサブルーチンを呼び出し、図１４〜１７に示す「開始」から引き続き処理が継続される。図１４〜１７に示す「終了」は図１３に示す「終了」と同様に処理を終了させることを示す。以下の図１３〜１７に示す各ステップの実行主体は、携帯端末３０の制御部３１のＣＰＵである。
【００２６】
図１３を用いて主に記録用プログラム３４Ｄの基本画面に関する処理を説明する。
ステップＳ１０１において、制御部３１は、通信部３５を用いてヘリウムリークディテクタ１０から検出量、および検出時刻を受信し、ＲＡＭに保存してステップＳ１０２に進む。
ステップＳ１０２において、制御部３１は、受信した検出量および検出時刻を記憶部３４の検出量ログ３４Ａに追記してステップＳ１０３に進む。オペレータによるマーク付加の指令の有無にかかわらず、検出量ログには受信した検出量が全て記録される。
ステップＳ１０３において、制御部３１は、図１４〜１７に示すいずれかのサブルーチンがまだ実行中であるか否かを判断する。まだ実行中であると判断する場合は図１３により動作が表されるプログラムを終了し、実行が終了していると判断する場合はステップＳ１０４に進む。
【００２７】
ステップＳ１０４において、制御部３１は、記憶部３４から検出量ログ３４Ａおよびマークリスト３４Ｂを読込み、ＲＡＭに展開してステップＳ１０５に進む。
ステップＳ１０５において、制御部３１は、ステップＳ１０４においてＲＡＭに読み込まれた検出量ログ３４Ａを用いて時系列のグラフを作成し、マークリスト３４Ｂを用いてそのグラフ上にマークを付して表示部３２に表示する。同時に、ステップＳ１０１において受信した検出値を表示部３２の上部に表示する。その後、ステップＳ１０６に進む。
【００２８】
ステップＳ１０６において、制御部３１は、オペレータがＭａｒｋボタン３３Ａを選択したか否かを判断し、選択したと判断する場合は図１４に示すサブルーチンを実行し、選択していないと判断する場合はステップＳ１０７に進む。
ステップＳ１０７において、制御部３１は、オペレータがＬｉｓｔボタン３３Ｂを選択したか否かを判断し、選択したと判断する場合は図１５に示すサブルーチンを実行し、選択していないと判断する場合はステップＳ１０８に進む。
ステップＳ１０８において、制御部３１は、オペレータがＳｅｔｔｉｎｇボタン３３Ｃを選択したか否かを判断し、選択したと判断する場合は図１６に示すサブルーチンを実行し、選択していないと判断する場合はステップＳ１０９に進む。
【００２９】
ステップＳ１０９において、制御部３１は、オペレータが時系列グラフ上のマークを選択したか否かを判断し、選択したと判断する場合は図１７に示すサブルーチンを実行し、選択していないと判断する場合は図１３により動作が表されるプログラムを終了する。
【００３０】
図１４を用いてＭａｒｋボタン３３Ａが選択された際のサブルーチンを説明する。図１３のステップＳ１０６においてオペレータによりＭａｒｋボタン３３Ａが選択されたとされると、図１４のステップＳ２０１が実行される。
ステップＳ２０１において、制御部３１は、記憶部３４に保存されているマークリスト３４Ｂを読み込み、マークリスト３４Ｂに記録されている最後のマーク番号を特定してステップＳ２０２に進む。
【００３１】
ステップＳ２０２において、制御部３１は、ステップＳ２０１において特定した最後のマーク番号に１を加えたマーク番号、ＲＡＭに保存されている最新の検出量、検出時刻をマークリスト３４Ｂに追記し、ステップＳ２０３に進む。
ステップＳ２０３において、制御部３１は、図６に示したように、撮像部３６を起動するためのＰｈｏｔｏボタン３３Ｄを表示部３２に表示させて、ステップＳ２０４に進む。
ステップＳ２０４において、制御部３１は、オペレータが何らかの入力を行ったか否かを判断する。何らかの入力を行ったと判断する場合はステップＳ２０５に進み、何も入力を行っていないと判断する場合はステップＳ２０４に留まる。
【００３２】
ステップＳ２０５において、制御部３１は、オペレータが行った入力が、ステップＳ２０３において表示させたＰｈｏｔｏボタン３３Ｄの選択であるか否かを判断する。Ｐｈｏｔｏボタン３３Ｄが選択されたと判断する場合はステップＳ２０６に進み、それ以外の入力がされたと判断する場合は図１４により動作が表されるプログラムを終了する。
ステップＳ２０６において、制御部３１は、撮影プログラム３４Ｅを起動する。撮影プログラム３４Ｅは、撮像部３６を起動し図７に示したように撮像部３６が撮影して得られたスルー画を表示部３２に表示してステップＳ２０７に進む。記録用プログラム３４Ｄは、起動した撮影プログラム３４Ｅが終了するまで待機する。
【００３３】
ステップＳ２０７において、制御部３１は、オペレータにより撮影ボタン、すなわちＰｉｃボタン３３Ｅが選択されたか否かを判断する。Ｐｉｃボタン３３Ｅが選択されたと判断する場合はステップＳ２０８に進み、Ｐｉｃボタン３３Ｅが選択されていないと判断する場合はステップＳ２０９に進む。
ステップＳ２０８において、制御部３１は、Ｐｉｃボタン３３Ｅがオペレータにより選択された際に表示部３２に表示されていた映像を記憶部３４に保存しステップＳ２０９に進む。
【００３４】
ステップＳ２０９において、制御部３１は、オペレータにより終了ボタン、すなわちＥｎｄボタン３３Ｆが選択されたか否かを判断する。Ｅｎｄボタン３３Ｆが選択されたと判断する場合は、ステップＳ２０８において記憶部３４に保存した画像のファイル名を記録用プログラム３４Ｄに出力し、撮影プログラム３４Ｅを終了する。動作を再開した記録用プログラム３４ＤはステップＳ２１０に進む。制御部３１がＥｎｄボタン３３Ｆが選択されていないと判断する場合はステップＳ２０７に戻る。
ステップＳ２１０において、制御部３１は、撮影プログラム３４Ｅから出力された画像の枚数、すなわち撮影プログラム３４により記憶部３４に保存された画像の枚数を評価する。保存された画像がゼロであると判断する場合は、図１４により動作が表されるプログラムを終了し、保存された映像が１枚のみであると判断する場合はステップＳ２１１に進み、保存された映像が２枚以上であると判断する場合はステップＳ２１４に進む。
【００３５】
ステップＳ２１１において、制御部３１は、表示部３２に「この画像を使用してよろしいですか？」というオペレータに確認する文章、および「ＯＫ」、「ＮＧ」のボタンを表示し、ステップＳ２１２に進む。
ステップＳ２１２において、制御部３１は、ステップＳ２１１において表示した「ＯＫ」、「ＮＧ」のボタンのうち、オペレータがいずれを選択したかを判断する。「ＯＫ」を選択したと判断する場合はステップＳ２１３に進み、「ＮＧ」を選択したと判断する場合は図１４により動作が表されるプログラムを終了する。
【００３６】
ステップＳ２１３において、制御部３１は、ステップＳ２１２から進んできた場合には保存した唯一の映像を、ステップＳ２１５から進んできた場合にはオペレータが選択した映像を、それぞれ、マークリスト３４Ｂに保存されている最新のデータと関連付ける。すなわち、図１０に示したように当該映像の上部にマーク番号、検出日時、および検出量を画像情報として書き込むとともに、マークリスト３４Ｂの最新のデータに当該画像のファイル名を関連付けて保存する。その後、図１４により動作が表されるプログラムを終了する。
ステップＳ２１４において、制御部３１は、図８のように「関連付ける画像を選択してください」という文章を表示し、ステップＳ２１５に進む。
ステップＳ２１５において、制御部３１は、オペレータがいずれかの画像を選択したか否かを判断し、いずれかの画像を選択したと判断する場合はステップＳ２１３に進み、画像を選択していないと判断する場合はステップＳ２１４に戻る。
【００３７】
図１５を用いてＬｉｓｔボタン３３Ｂが選択された際のサブルーチンを説明する。図１３のステップＳ１０７においてオペレータによりＬｉｓｔボタン３３Ｂが選択されたと判断されると、図１５のステップＳ３０１が実行される。
ステップＳ３０１において、制御部３１は、記憶部３４からマークリスト３４Ｂを読み込み、ステップＳ３０２に進む。
ステップＳ３０２において、制御部３１は、ステップＳ３０２において読込んだマークリスト３４Ｂを表示部３２に表示してステップＳ３０３に進む。ただし、マークリスト３４Ｂの各行の末尾に記載されている画像のファイル名は全て「＜Ｐｈｏｔｏ＞」に変換し、画像が存在することを端的に表す。
【００３８】
ステップＳ３０３において、制御部３１は、オペレータが画像が関連付けられているいずれかの行を選択したか否かを判断する。すなわち、行末に「＜Ｐｈｏｔｏ＞」と記載されている行が選択されたか否かを判断する。画像が関連付けられたいずれかの行が選択されたと判断する場合はステップＳ３０５に進み、画像が関連付けられたいずれの行も選択されていないと判断する場合はステップＳ３０４に進む。
ステップＳ３０４において、制御部３１は、オペレータがＲｅｔｕｒｎボタン３３Ｇを選択したか否かを判断する。Ｒｅｔｕｒｎボタン３３Ｇが押されたと判断する場合は、記録用プログラム３４Ｄの基本画面を表示するために図１５により動作が表されるプログラムを終了する。Ｒｅｔｕｒｎボタン３３Ｇが押されていないと判断する場合は、ステップＳ３０３に戻る。
【００３９】
ステップＳ３０５において、制御部３１は、選択された行のデータに関連付けられた画像を表示部３２に表示し、ステップＳ３０６に進む。
ステップＳ３０６において、制御部３１は、オペレータが「Ｒｅｔｕｒｎ」ボタンを選択したか否かを判断する。「Ｒｅｔｕｒｎ」ボタンが押されたと判断する場合は、マークリストの一覧を表示するためにステップＳ３０２に戻り、「Ｒｅｔｕｒｎ」ボタンが押されていないと判断する場合は、ステップＳ３０６に戻る。
【００４０】
図１６を用いてＳｅｔｔｉｎｇボタン３３Ｃが選択された際のサブルーチンを説明する。図１３のステップＳ１０８においてオペレータによりＳｅｔｔｉｎｇボタン３３Ｃが選択されたと判断されると、図１６のステップＳ４０１が実行される。
ステップＳ４０１において、制御部３１は、記憶部３４から単位設定３４Ｃを読込み、ステップＳ４０２に進む。
ステップＳ４０２において、制御部３１は、設定可能な全ての圧力の単位、および設定可能な全てのリーク量の単位を表示する。単位設定３４Ｃに記載されていた現在の設定に該当する圧力の単位、およびリーク量の単位が選択された状態として、ステップＳ４０３に進む。
【００４１】
ステップＳ４０３において、制御部３１は、オペレータがいずれかの圧力、またはリーク量の単位を選択したか否かを判断する。いずれかの単位を選択したと判断する場合はステップＳ４０４に進み、何れの単位も選択していないと判断する場合はステップＳ４０５に進む。
ステップＳ４０４において、制御部３１は、表示部３２の表示をオペレータが選択した単位が選択された状態に変更してステップＳ４０５に進む。
ステップＳ４０５において、制御部３１は、オペレータが「ＯＫ」ボタンを選択したか否かを判断する。「ＯＫ」ボタンが選択されたと判断する場合はステップＳ４０７に進み、「ＯＫ」ボタンが選択されていないと判断する場合はステップＳ４０６に進む。
【００４２】
ステップＳ４０６において、制御部３１は、オペレータが「キャンセル」ボタンを選択したか否かを判断する。「キャンセル」ボタンが選択されたと判断する場合は単位設定３４Ｃを更新せずに図１６により動作が表されるプログラムを終了し、「キャンセル」ボタンが選択されていないと判断する場合はステップＳ４０３に戻る。
ステップＳ４０７において、制御部３１は、選択されている圧力単位、およびリーク量の単位を新たな設定単位として単位設定３４Ｃを更新し、ステップＳ４０８に進む。
ステップＳ４０８において、制御部３１は、更新した単位設定３４Ｃを通信部３５を用いてヘリウムリークディテクタ１０に送信して図１６により動作が表されるプログラムを終了する。ヘリウムリークディテクタ１０は、単位設定３４Ｃを受信すると表示部１２に表示する圧力およびリーク量の単位を受信した単位設定３４Ｃに記載の単位に変更する。
【００４３】
図１７を用いて時系列グラフのマークが選択された際のサブルーチンを説明する。図１３のステップＳ１０９においてオペレータにより時系列グラフのマークが選択されたと判断されると、図１７のステップＳ５０１が実行される。
ステップＳ５０１において、制御部３１は、記憶部３４からマークリスト３４Ｂを読込み、ステップＳ５０２に進む。
ステップＳ５０２において、制御部３１は、マークリスト３４Ｂを参照して、オペレータにより選択されたマークに画像が関連付けられているか否かを判断する。画像が関連付けられていると判断する場合はステップＳ５０３に進み、画像が関連付けられていないと判断する場合は図１７により動作が表されるプログラムを終了する。
【００４４】
ステップＳ５０３において、制御部３１は、オペレータにより選択されたマークに関連付けられている画像を記憶部３４から読込み、図１０のように表示部３２に表示してステップＳ５０４に進む。
ステップＳ５０４において、制御部３１は、オペレータにより「Ｒｅｔｕｒｎ」ボタンが選択されたか否かを判断する。「Ｒｅｔｕｒｎ」ボタンが選択されたと判断する場合は図１７により動作が表されるプログラムを終了し、「Ｒｅｔｕｒｎ」ボタンが選択されていないと判断する場合はステップＳ５０４に戻る。
【００４５】
上述した実施の形態によれば、次の作用効果が得られる。
（１）ヘリウムリークディテクタユニット１は、ヘリウムを検出するヘリウムリークディテクタ１０と、有線または無線によりヘリウムリークディテクタ１０に接続される携帯端末３０とを備える。携帯端末３０は、ヘリウムリークディテクタ１０の検出結果を表示する表示部３２と、撮影指令信号を出力するＰｉｃボタン３３ｅ、すなわち撮影指示部と、記録指令信号を出力するＭａｒｋボタン３３ａ、すなわち検出量記録指示部と撮影指令信号を受信すると被写体を撮影し、撮影して得られた映像を記憶部に記憶するとともに、記録指令信号を受信するとヘリウムリークディテクタの検出結果を記憶部３４に記憶する制御部３１と、記憶部３４に保存された映像と検出結果を関連付ける関連付け部（図１４のステップＳ２１３）とを備える。
【００４６】
そのため、オペレータは簡便に検査部位を記録できる。従来は、検査部位に手書きのマーカーを付して記録していたが、書き間違いの恐れがあるだけでなく記入作業が煩雑であり、さらに検査後の確認も容易ではないという問題があった。しかし、本発明によれば携帯端末３０に対して数回タッチ操作を行うだけで、ヘリウムリークディテクタ１０が検出した検出量と検査部位の画像が紐づけられて携帯端末３０に保存されるので、操作が簡便である。また、持ち運びの困難なヘリウムリークディテクタ１０ではなく、持ち運びの容易な携帯端末３０に情報が記録されるので、検査後に様々な場所で検査結果を確認することができる。
【００４７】
（２）携帯端末３０は、ヘリウムを検出するヘリウムリークディテクタ１０と有線または無線により接続されて用いられる。携帯端末３０は、ヘリウムリークディテクタ１０の検出結果を表示する表示部３２と、撮影指令信号を出力するＰｉｃボタン３３ｅ、すなわち撮影指示部と、記録指令信号を出力するＭａｒｋボタン３３ａ、すなわち検出量記録指示部と撮影指令信号を受信すると被写体を撮影し、撮影して得られた映像を記憶部に記憶するとともに、記録指令信号を受信するとヘリウムリークディテクタの検出結果を記憶部３４に記憶する制御部３１と、記憶部３４に保存された映像と検出結果を関連付ける関連付け部（図１４のステップＳ２１３）とを備える。
【００４８】
（３）記録用プログラム３４Ｄは、携帯端末３０、すなわちコンピュータにヘリウムを検出するヘリウムリークディテクタ１０の検出結果を受信する受信工程（図１３のステップＳ１０１）と、受信した検出結果を表示部３２に表示する表示工程（図１３のステップＳ１０５）と、記憶指令信号を入力すると、受信した検出結果を記憶部３４に記憶する記憶工程（図１４のステップＳ２０２）と、撮像部３６が撮影した被写体の映像を記憶部３４に記憶させる撮影プログラム３４Ｅを起動する起動工程（図１４のステップＳ２０６）と、記憶部３４に記憶した検出結果と映像とを関連付ける関連付け工程（図１４のステップＳ２１３）とを実行させる。
そのため、汎用的な携帯端末３０に記録用プログラム３４Ｄをインストールすることで、ヘリウムリークディテクタ１０を用いた検査の記録が簡便になる。
【００４９】
（４）記録用プログラム３４Ｄは、記憶部３４に記憶した検出結果、すなわちマークリスト３４Ｂを表示部３２に表示する検出値表示工程（図１５のステップＳ３０２）と、表示部３２に表示された検出結果が選択されると当該検出結果に関連付けられた映像を表示部３２に表示する映像表示工程（図１５のステップＳ３０５）とを実行させる。
そのため、検出量の一覧から任意の検出量を選択すると、その検査部位の画像を表示部３２に表示することができ、検査部位と検出量の対応を明らかにできる。
【００５０】
（５）記録用プログラム３４Ｄは、Ｍａｒｋボタン３３ａが選択されて記憶工程（図１４のステップＳ２０２）が実行されると、Ｐｈｏｔｏボタン３３ｄを表示させることにより起動工程（図１４のステップＳ２０６）の実行を許可する撮影許可工程（図１４のステップＳ２０３）をさらに実行させ、関連付け工程（図１４のステップＳ２１３）は、起動工程が実行されたことにより記憶部３４に記憶された映像と、当該起動工程が実行される直前に実行された記憶工程により記憶された検出結果を関連付ける。
そのため、検出量を記録してから検査部位を撮影するという作業の順番を規定することができ、オペレータがどちらかの作業を忘れて次の検査部位に進むことを防止できる。
【００５１】
（変形例１）
上述した実施の形態では、ヘリウムリークディテクタ１０と携帯端末３０は、有線により接続されていたが、両者の接続はこれに限定されない。通信には、無線ＬＡＮを用いてもよいし、Ｂｌｕｅｔｏｏｔｈ（登録商標）を用いてもよいし、その他の無線通信方式を用いてもよい。ヘリウムリークディテクタ１０および携帯端末３０は、無線通信用を行うための変調復調器を通信モジュールとして内蔵してもよいし、有線通信用の変調復調器のみを内蔵して当該変調復調器を無線通信を行うメディアコンバータと接続してもよい。
この変形例１によれば、携帯端末３０の移動が容易となり最適な位置から検査部位の画像を撮影することができる。試験法を真空吹き付け法とする場合には、移動式のヘリウムボンベや各所に設置されたヘリウムガス取り出し口から検査箇所にヘリウムガスを吹き付けるので、オペレータの作業位置がヘリウムリークディテクタ１０からの距離の制約を受けない。
【００５２】
（変形例２）
上述した実施の形態では、撮像部３６は携帯端末３０と一体に構成されていたが、撮像部３６の構成はこれに限定されない。撮像部３６は携帯端末３０と分離しており、有線または無線により携帯端末３０と接続してもよい。また、撮像部３６はヘリウムの漏れ試験に用いる機器、たとえばスニッファ法におけるプローブや真空吹き付け法におけるヘリウム吹付けプローブに取り付け可能でもよいし、オペレータの身体に取り付け可能でもよい。
この変形例２によれば、撮像部を内蔵しない携帯端末３０も用いることができるだけでなく、目的にあわせて撮像部を自由に変更することができる。
【００５３】
（変形例３）
上述した実施の形態では、携帯端末３０の入力部３３は表示部３２設けられたタッチパッドを含んで構成されていたが、入力部３３の構成はこれに限定されない。携帯端末３０が備える電源ボタンやボリュームボタンを入力部３３として用いてもよいし、有線または無線により接続する外部入力機器を入力部３３として用いてもよい。
この変形例３によれば、オペレータが撮像部３６に撮像指令を出力するために表示部３２を見る必要がないため、迅速に撮影を行うことができる。
【００５４】
（変形例４）
上述した実施の形態では、撮像部３６により撮影して得られた映像およびマークリスト３４Ｂは携帯端末３０の記憶部３４に保存したが、ヘリウムリークディテクタ１０の記憶部１４に保存してもよい。
上述した実施の形態では、携帯端末３０は記憶部３４を備えたが携帯端末３０の構成はこれに限定されない。携帯端末３０が記憶部３４を備えず、上述した実施の形態において記憶部３４に保存した全てのデータは、制御部３１のＲＡＭに一時的に保存した後に通信部３５を用いてヘリウムリークディテクタ１０へ送信し、記憶部１４に保存してもよい。そして、制御部３１は必要に応じてヘリウムリークディテクタ１０の記憶部１４から読み出してもよい。
この変形例４によれば、携帯端末３０は記憶部３４を備える必要がないため、携帯端末３０を安価でかつ軽量にできる。
【００５５】
（変形例５）
上述した実施の形態では、マークに関連付ける画像が決定されると、当該マークに関する情報である、マーク番号、検出日時、および検出量を当該画像の上部に画像情報として重畳して記録し、画像を表示した際に同時に表示されるようにした。しかし、マークに関する情報と画像とを同時に表示する方法はこれに限定されない。
マークに関連付ける画像が決定した際に当該画像を加工せず、画像を表示する際にマークリスト３４Ｂからその画像に関連づけられたデータを読込み、当該画像に重畳して表示してもよい。
この変形例５によれば、画像を表示する際にマークデータを逐一重ねて表示するため、画像を表示する際にマークデータを表示する位置や文字の大きさ、色などを変更することができる。
【００５６】
（変形例６）
上述した実施の形態では、Ｍａｒｋボタン３３Ａを押して記録する検出量を選択した後に、撮像部３６を用いて被写体を撮影したが、順番はこれに限定されない。表示部３２に撮影プログラム３４Ｅを起動するためのＰｈｏｔｏボタン３３Ｄを常に表示し、当該ボタンを押して撮像部３６を用いて撮影した後にＭａｒｋボタン３３Ａを押して記録する検出量を選択してもよい。記録用プログラム３４Ｄが起動するとすぐに撮影プログラム３４Ｅを起動し、表示部３２の一部に撮像部３６が撮影するスルー画を表示し、Ｍａｒｋボタン３３ＡまたはＰｈｏｔｏボタン３３Ｄが押されると、記録する検出量を選択するとともに撮影を行ってもよい。
【００５７】
（変形例７）
上述した実施の形態では、記録用プログラム３４Ｄは撮影部３６を用いて被写体を撮影する機能を有さず、撮影プログラム３４Ｅを起動して被写体を撮影した。しかし、被写体を撮影する手段はこれに限定されない。記録用プログラム３４Ｄがさらに被写体を撮影する機能を有し、撮影プログラム３４Ｅを起動することなく被写体を撮影してもよい。
この変形例７によれば、以下の作用効果が得られる。
（１）記録用プログラム３４Ｄは、携帯端末３０、すなわちコンピュータに、ヘリウムを検出するヘリウムリークディテクタ１０の検出した検出結果を受信する受信工程（図１３のステップＳ１０１）と、受信した検出結果を表示部３２に表示する表示工程（図１３のステップＳ１０５）と、記憶指令信号を入力すると、受信した検出結果を記憶部３４に記憶する記憶工程（図１４のステップＳ２０２）と、撮像部３６に被写体を撮影させるとともに、得られた映像を記憶部３４に記憶させる撮影工程と、記憶部３４に記憶した検出結果と映像とを関連付ける関連付け工程（図１４のステップＳ２１３）とを実行させる。
そのため、オペレータは撮影プログラム３４Ｅを別途用意する必要がなく、記録用プログラム３４Ｄのみを携帯端末３０にインストールすればよいので、事前の準備が簡便である。
【００５８】
（変形例８）
上述した実施の形態では、携帯端末３０をオペレータが操作して単位設定３４Ｃを書き変えた場合にその単位設定３４Ｃをヘリウムリークディテクタ１０に送信したが、設定変更を反映する方向はこれに限定されない。オペレータがヘリウムリークディテクタ１０を操作して単位設定を変更した際に、携帯端末３０に変更した単位設定を送信してもよい。すなわち、ヘリウムリークディテクタ１０か携帯端末３０かのいずれかの単位設定がオペレータにより変更されると、両者の単位設定が変更されてもよい。
【００５９】
上述した各実施の形態および変形例は、それぞれ組み合わせてもよい。
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６０】
１    ヘリウムリークディテクタユニット  
１０  ヘリウムリークディテクタ
１１  制御部              
２０  プローブ
３０  携帯端末            
３１  制御部
３２  表示部              
３３  入力部
３３Ａ  Ｍａｒｋボタン
３３Ｄ  Ｐｈｏｔｏボタン
３３Ｅ  Ｐｉｃボタン
３４  記憶部              
３４Ｂ  マークリスト
３４Ｄ  記録用プログラム
３４Ｅ  撮影プログラム
３５  通信部
３６  撮像部
【図１】
0006403111.tif 000002
【図２】
0006403111.tif 000003
【図３】
0006403111.tif 000004
【図４】
0006403111.tif 000005
【図５】
0006403111.tif 000006
【図６】
0006403111.tif 000007
【図７】
0006403111.tif 000008
【図８】
0006403111.tif 000009
【図９】
0006403111.tif 000010
【図１０】
0006403111.tif 000011
【図１１】
0006403111.tif 000012
【図１２】
0006403111.tif 000013
【図１３】
0006403111.tif 000014
【図１４】
0006403111.tif 000015
【図１５】
0006403111.tif 000016
【図１６】
0006403111.tif 000017
【図１７】
0006403111.tif 000018